(57)【要約】【課題】顧客がユーザ登録をすることなく、顧客の決済に対応する取引情報を顧客に提供することである。【解決手段】ＥＣＲ２０は、商品の決済を行い取引情報を生成し、当該生成した取引情報に対応する取引番号及び自装置の装置ＩＤを含み、当該取引情報を閲覧するためのＵＲＬ情報を生成し、当該生成したＵＲＬ情報を携帯電話機５０に送信し、前記生成した取引情報を、前記取引番号及び前記装置ＩＤとともにサーバ装置１０に送信する制御手段を備える。サーバ装置１０は、前記取引情報、取引番号及び装置ＩＤをＥＣＲ２０から受信して記憶し、当該取引情報を閲覧するためのＵＲＬ情報を、受信した取引情報を表示可能な携帯電話機５０から受信すると、当該ＵＲＬ情報に対応する取引情報を読み出して携帯電話機５０に送信する。【選択図】図１
2010157057.tif 000002
【特許請求の範囲】
【請求項１】
売上データ処理装置の取引情報を記憶し、当該取引情報を閲覧するためのＵＲＬ情報を携帯端末から受信すると、当該ＵＲＬ情報に対応する取引情報を前記携帯端末に送信するサーバ装置と、受信した取引情報を表示可能な携帯端末と、に通信接続可能に構成された売上データ処理装置であって、
前記携帯端末と通信を行うための第１の通信手段と、
前記サーバ装置と通信を行うための第２の通信手段と、
商品の決済を行い取引情報を生成し、当該生成した取引情報に対応する取引番号及び自装置の装置ＩＤを含み、当該取引情報を閲覧するためのＵＲＬ情報を生成し、前記第１の通信手段を介して、前記生成したＵＲＬ情報を前記携帯端末に送信し、前記第２の通信手段を介して、前記生成した取引情報を、前記取引番号及び前記装置ＩＤとともに前記サーバ装置に送信する制御手段と、
を備える売上データ処理装置。
【請求項２】
前記携帯端末は、売上データ処理装置と非接触通信する非接触通信部を有し、当該非接触通信部を識別するための非接触通信部ＩＤを記憶し、
前記第１の通信手段は、前記携帯端末と非接触の通信を行うための通信手段であり、
前記制御手段は、前記第１の通信手段を介して、前記携帯端末から前記非接触通信部ＩＤを受信し、前記取引情報の取引番号、前記装置ＩＤ、前記受信した非接触通信部ＩＤを含むＵＲＬ情報を生成し、前記第２の通信手段を介して、前記生成した取引情報を、前記取引番号、前記装置ＩＤ及び前記非接触通信部ＩＤとともに前記サーバ装置に送信する請求項１に記載の売上データ処理装置。
【請求項３】
前記制御手段は、前記取引番号及び前記非接触通信部ＩＤを暗号化し、当該暗号化した情報を含むＵＲＬ情報を生成する請求項２に記載の売上データ処理装置。
【請求項４】
決済に応じて取引情報を生成する売上データ処理装置と、受信した取引情報を表示可能な携帯端末と、に通信接続可能に構成されたサーバ装置であって、
前記売上データ処理装置及び前記携帯端末と通信するための通信手段と、
情報を記憶する記憶手段と、
前記通信手段を介して、取引情報、当該取引情報に対応する取引番号、及び前記売上データ処理装置の装置ＩＤを、当該売上データ処理装置から受信し、当該取引情報を当該取引番号及び当該装置ＩＤに対応付けて前記記憶手段に記憶させ、前記通信手段を介して、取引番号及び装置ＩＤを含み、取引情報を閲覧するためのＵＲＬ情報を前記携帯端末から受信し、当該ＵＲＬ情報から取引番号及び装置ＩＤを取得し、当該取引情報及び当該装置ＩＤに対応する取引情報を前記記憶手段から読み出し、前記通信手段を介して、前記読み出した取引情報を前記携帯端末に送信する制御手段と、を備えるサーバ装置。
【請求項５】
前記携帯端末は、売上データ処理装置と非接触通信する非接触通信部を有し、当該非接触通信部を識別するための非接触通信部ＩＤを記憶し、
前記ＵＲＬ情報は、前記取引番号、前記装置ＩＤ、及び前記決済を行った携帯端末の非接触通信部を識別するための非接触通信部ＩＤを含み、
前記制御手段は、前記通信手段を介して、前記取引情報、前記取引番号、前記装置ＩＤ及び前記非接触通信部ＩＤを前記売上データ処理装置から受信し、当該取引情報を当該取引番号、当該装置ＩＤ及び当該非接触通信部ＩＤに対応付けて前記記憶手段に記憶させ、前記受信したＵＲＬ情報から取引番号、装置ＩＤ及び非接触通信部ＩＤを取得し、当該取引番号、当該装置ＩＤ及び当該非接触通信部ＩＤに対応する取引情報を前記記憶手段から読み出す請求項４に記載のサーバ装置。
【請求項６】
前記制御手段は、前記受信したＵＲＬ情報から前記売上データ処理装置により暗号化された取引番号及び非接触通信部ＩＤを取得し、当該暗号化された取引番号及び非接触通信部ＩＤを複号化する請求項５に記載のサーバ装置。
【請求項７】
売上データ処理装置の取引情報を記憶し、当該取引情報を閲覧するためのＵＲＬ情報を携帯端末から受信すると、当該ＵＲＬ情報に対応する取引情報を前記携帯端末に送信するサーバ装置と、受信した取引情報を表示可能な携帯端末と、に通信接続可能に構成された売上データ処理装置に搭載されたコンピュータを、
前記携帯端末と通信を行うための第１の通信手段、
前記サーバ装置と通信を行うための第２の通信手段、
商品の決済を行い取引情報を生成し、当該生成した取引情報に対応する取引番号及び自装置の装置ＩＤを含み、当該取引情報を閲覧するためのＵＲＬ情報を生成し、前記第１の通信手段を介して、前記生成したＵＲＬ情報を前記携帯端末に送信し、前記第２の通信手段を介して、前記生成した取引情報を、前記取引番号及び前記装置ＩＤとともに前記サーバ装置に送信する制御手段、
として機能させるためのプログラム。
【請求項８】
決済に応じて取引情報を生成する売上データ処理装置と、受信した取引情報を表示可能な携帯端末と、に通信接続可能に構成されたサーバ装置に搭載されたコンピュータを、
前記売上データ処理装置及び前記携帯端末と通信するための通信手段、
情報を記憶する記憶手段、
前記通信手段を介して、取引情報、当該取引情報に対応する取引番号、及び前記売上データ処理装置の装置ＩＤを、当該売上データ処理装置から受信し、当該取引情報を当該取引番号及び当該装置ＩＤに対応付けて前記記憶手段に記憶させ、前記通信手段を介して、取引番号及び装置ＩＤを含み、取引情報を閲覧するためのＵＲＬ情報を前記携帯端末から受信し、当該ＵＲＬ情報から取引番号及び装置ＩＤを取得し、当該取引情報及び当該装置ＩＤに対応する取引情報を前記記憶手段から読み出し、前記通信手段を介して、前記読み出した取引情報を前記携帯端末に送信する制御手段、
として機能させるためのプログラム。
【発明の詳細な説明】
【技術分野】
【０００１】
本発明は、売上データ処理装置、サーバ装置及びプログラムに関する。
【背景技術】
【０００２】
従来、商品を販売する店舗に設置され、販売された商品の売上データを処理する売上データ処理装置としてＥＣＲ（Electronic Cash Resister）やＰＯＳ（Point Of Sales）端末が知られている。売上データ処理装置において、商品の決済時に、顧客の購入した商品の合計金額等を算出しレシートに印刷する。
【０００３】
また、商品の決済時に、顧客の購入した商品に関係するサイトのＵＲＬ（Uniform Resource Locator）情報を、顧客の携帯電話機に赤外線送信する売上データ処理装置が考えられている（例えば、特許文献１参照）。そのＵＲＬは、顧客の携帯電話機で受信されて記憶される。顧客は、携帯電話機に記憶されているＵＲＬを選択入力し、選択したＵＲＬに対応する商品に関するサイトを携帯電話機に表示させることができる。
【０００４】
また、商品の決済時に、売上データ処理装置が、顧客の購入した商品の品名、数量、金額の情報（レシート情報）を顧客のＵＳＢ（Universal Serial Bus）キーに書き込み、そのレシート情報を用いて顧客にレシートイメージを提供するシステムが考えられている（例えば、特許文献２参照）。顧客は、商品決済後に、自宅ＰＣ（Personal Computer）にＵＳＢキーを接続する。ＰＣは、レシート活用サーバ装置の管理するサイトに接続し、そのＵＳＢキーからレシート情報を読み出して家計簿データとともにレシート活用サーバ装置へ送信する。レシート活用サーバ装置は、そのレシート情報をＰＣから受信し、そのレシート情報に基づきレシートのイメージデータを作成してＰＣに送信し、そのイメージデータをレシートイメージとしてＰＣに表示させる。顧客は、ＰＣに表示されたレシートイメージを閲覧できる。
【特許文献１】特開２００４−２６５２４５号公報
【特許文献２】特開２００４−１７８４８６号公報
【発明の開示】
【発明が解決しようとする課題】
【０００５】
従来のレシートを印刷する売上データ処理装置では、商品の決済時に、レシートを印刷し、その印刷したレシートを店員が顧客に手渡していた。このため、店員の作業負担が大きく、またレシート用のロール紙の費用負担も大きかった。
【０００６】
また、従来の購入した商品に関係するサイトのＵＲＬ情報を携帯電話機に送信する売上データ処理装置では、レシート情報を携帯電話機に表示させることができなかった。
【０００７】
また、従来のＵＳＢキーにレシート情報を書き込むシステムでは、レシートを手渡すことに代えて、自宅ＰＣでレシートイメージを表示することができる。しかし、レシートイメージを顧客本人にしか見られなくするため、事前の顧客のユーザ登録（レシート活用サーバ装置への顧客のユーザＩＤ及びパスワードの登録）が必要であった。ユーザ登録は、顧客にとって作業負担が大きく、レシート活用サーバ装置にとっても、管理する情報が増えて記憶及び処理の負担が大きかった。また、ユーザ登録情報の漏洩のおそれがあった。
【０００８】
本発明の課題は、顧客がユーザ登録をすることなく、顧客の決済に対応する取引情報（レシート情報）を顧客に提供することである。
【課題を解決するための手段】
【０００９】
上記課題を解決するために、請求項１に記載の発明の売上データ処理装置は、
売上データ処理装置の取引情報を記憶し、当該取引情報を閲覧するためのＵＲＬ情報を携帯端末から受信すると、当該ＵＲＬ情報に対応する取引情報を前記携帯端末に送信するサーバ装置と、受信した取引情報を表示可能な携帯端末と、に通信接続可能に構成された売上データ処理装置であって、
前記携帯端末と通信を行うための第１の通信手段と、
前記サーバ装置と通信を行うための第２の通信手段と、
商品の決済を行い取引情報を生成し、当該生成した取引情報に対応する取引番号及び自装置の装置ＩＤを含み、当該取引情報を閲覧するためのＵＲＬ情報を生成し、前記第１の通信手段を介して、前記生成したＵＲＬ情報を前記携帯端末に送信し、前記第２の通信手段を介して、前記生成した取引情報を、前記取引番号及び前記装置ＩＤとともに前記サーバ装置に送信する制御手段と、を備える。
【００１０】
請求項２に記載の発明は、請求項１に記載の売上データ処理装置において、
前記携帯端末は、売上データ処理装置と非接触通信する非接触通信部を有し、当該非接触通信部を識別するための非接触通信部ＩＤを記憶し、
前記第１の通信手段は、前記携帯端末と非接触の通信を行うための通信手段であり、
前記制御手段は、前記第１の通信手段を介して、前記携帯端末から前記非接触通信部ＩＤを受信し、前記取引情報の取引番号、前記装置ＩＤ、前記受信した非接触通信部ＩＤを含むＵＲＬ情報を生成し、前記第２の通信手段を介して、前記生成した取引情報を、前記取引番号、前記装置ＩＤ及び前記非接触通信部ＩＤとともに前記サーバ装置に送信する。
【００１１】
請求項３に記載の発明は、請求項２に記載の売上データ処理装置において、
前記制御手段は、前記取引番号及び前記非接触通信部ＩＤを暗号化し、当該暗号化した情報を含むＵＲＬ情報を生成する。
【００１２】
請求項４に記載の発明のサーバ装置は、
決済に応じて取引情報を生成する売上データ処理装置と、受信した取引情報を表示可能な携帯端末と、に通信接続可能に構成されたサーバ装置であって、
前記売上データ処理装置及び前記携帯端末と通信するための通信手段と、
情報を記憶する記憶手段と、
前記通信手段を介して、取引情報、当該取引情報に対応する取引番号、及び前記売上データ処理装置の装置ＩＤを、当該売上データ処理装置から受信し、当該取引情報を当該取引番号及び当該装置ＩＤに対応付けて前記記憶手段に記憶させ、前記通信手段を介して、取引番号及び装置ＩＤを含み、取引情報を閲覧するためのＵＲＬ情報を前記携帯端末から受信し、当該ＵＲＬ情報から取引番号及び装置ＩＤを取得し、当該取引情報及び当該装置ＩＤに対応する取引情報を前記記憶手段から読み出し、前記通信手段を介して、前記読み出した取引情報を前記携帯端末に送信する制御手段と、を備える。
【００１３】
請求項５に記載の発明は、請求項４に記載のサーバ装置において、
前記携帯端末は、売上データ処理装置と非接触通信する非接触通信部を有し、当該非接触通信部を識別するための非接触通信部ＩＤを記憶し、
前記ＵＲＬ情報は、前記取引番号、前記装置ＩＤ、及び前記決済を行った携帯端末の非接触通信部を識別するための非接触通信部ＩＤを含み、
前記制御手段は、前記通信手段を介して、前記取引情報、前記取引番号、前記装置ＩＤ及び前記非接触通信部ＩＤを前記売上データ処理装置から受信し、当該取引情報を当該取引番号、当該装置ＩＤ及び当該非接触通信部ＩＤに対応付けて前記記憶手段に記憶させ、前記受信したＵＲＬ情報から取引番号、装置ＩＤ及び非接触通信部ＩＤを取得し、当該取引番号、当該装置ＩＤ及び当該非接触通信部ＩＤに対応する取引情報を前記記憶手段から読み出す。
【００１４】
請求項６に記載の発明は、請求項５に記載のサーバ装置において、
前記制御手段は、前記受信したＵＲＬ情報から前記売上データ処理装置により暗号化された取引番号及び非接触通信部ＩＤを取得し、当該暗号化された取引番号及び非接触通信部ＩＤを複号化する。
【００１５】
請求項７に記載の発明のプログラムは、
売上データ処理装置の取引情報を記憶し、当該取引情報を閲覧するためのＵＲＬ情報を携帯端末から受信すると、当該ＵＲＬ情報に対応する取引情報を前記携帯端末に送信するサーバ装置と、受信した取引情報を表示可能な携帯端末と、に通信接続可能に構成された売上データ処理装置に搭載されたコンピュータを、
前記携帯端末と通信を行うための第１の通信手段、
前記サーバ装置と通信を行うための第２の通信手段、
商品の決済を行い取引情報を生成し、当該生成した取引情報に対応する取引番号及び自装置の装置ＩＤを含み、当該取引情報を閲覧するためのＵＲＬ情報を生成し、前記第１の通信手段を介して、前記生成したＵＲＬ情報を前記携帯端末に送信し、前記第２の通信手段を介して、前記生成した取引情報を、前記取引番号及び前記装置ＩＤとともに前記サーバ装置に送信する制御手段、
として機能させる。
【００１６】
請求項８に記載の発明のプログラムは、
決済に応じて取引情報を生成する売上データ処理装置と、受信した取引情報を表示可能な携帯端末と、に通信接続可能に構成されたサーバ装置に搭載されたコンピュータを、
前記売上データ処理装置及び前記携帯端末と通信するための通信手段、
情報を記憶する記憶手段、
前記通信手段を介して、取引情報、当該取引情報に対応する取引番号、及び前記売上データ処理装置の装置ＩＤを、当該売上データ処理装置から受信し、当該取引情報を当該取引番号及び当該装置ＩＤに対応付けて前記記憶手段に記憶させ、前記通信手段を介して、取引番号及び装置ＩＤを含み、取引情報を閲覧するためのＵＲＬ情報を前記携帯端末から受信し、当該ＵＲＬ情報から取引番号及び装置ＩＤを取得し、当該取引情報及び当該装置ＩＤに対応する取引情報を前記記憶手段から読み出し、前記通信手段を介して、前記読み出した取引情報を前記携帯端末に送信する制御手段、
として機能させる。
【発明の効果】
【００１７】
本発明によれば、顧客がユーザ登録をすることなく、顧客の決済に対応するＵＲＬ情報に対応する取引情報を顧客に提供することができる。
【発明を実施するための最良の形態】
【００１８】
以下、添付図面を参照して本発明に係る好適な実施の形態を詳細に説明する。なお、本発明は、図示例に限定されるものではない。
【００１９】
先ず、図１〜図４を参照して、本実施の形態の装置構成を説明する。図１に、本実施の形態のレシート情報表示システム１の構成を示す。
【００２０】
本実施の形態のレシート情報表示システム１は、顧客が購入する商品の決済を行い、その決済のレシートイメージを顧客側で表示するシステムである。図１に示すように、レシート情報表示システム１は、サーバ装置１０と、売上データ処理装置としてのＥＣＲ（Electronic Cash Register）２０と、携帯端末としての携帯電話機５０と、を備える。サーバ装置１０及びＥＣＲ２０は、通信ネットワークＮを介して通信接続されている。ＥＣＲ２０は、非接触ＩＣリーダ／ライタ４０を有する。
【００２１】
サーバ装置１０は、ＥＣＲ２０の決済のレシートの内容情報（取引情報としてのレシート情報）を管理するＤＢ（DataBase）サーバとして機能する。また、サーバ装置１０は、携帯電話機５０からのレシートイメージのＷＥＢページ表示要求に応じて、そのＷＥＢページデータを生成して携帯電話機５０に送信して表示させるＷＥＢサーバとしても機能する。なお、サーバ装置１０を、上記ＤＢサーバ及びＷＥＢサーバとして別々に設け、各サーバが相互にアクセス可能な構成としてもよい。
【００２２】
ＥＣＲ２０は、商品（サービス）を販売する店舗内に設置され、顧客が購入する商品の決済処理（登録処理）を行う。また、ＥＣＲ２０は、非接触ＩＣリーダ／ライタ４０を介した携帯電話機５０の電子マネー決済が可能である。また、ＥＣＲ２０は、商品の決済のレシート情報に対応し当該レシート情報を閲覧するためのＵＲＬ情報を生成し、非接触ＩＣリーダ／ライタ４０を介して携帯電話機５０に送信する。
【００２３】
また、本実施の形態では、レシート情報表示システム１において、１つの店舗に設置された１台のＥＣＲ２０を説明するが、これに限定されるものではない。例えば、レシート情報表示システム１が、１つの店舗に設置された複数のＥＣＲ２０を含む構成としてもよく、複数の店舗に設置された複数のＥＣＲ２０を含む構成としてもよい。
【００２４】
非接触ＩＣリーダ／ライタ４０は、Ｆｅｌｉｃａ（登録商標）等の非接触通信方式のリーダ／ライタである。非接触ＩＣリーダ／ライタ４０は、非接触に、携帯電話機５０に記憶された情報の読み出し、携帯電話機５０への情報書き込み（送信）を行う。非接触ＩＣリーダ／ライタ４０は、コイルアンテナ、制御部等を備える。非接触ＩＣリーダ／ライタ４０は、コイルアンテナに発生させる磁束を介して携帯電話機５０（の非接触ＩＣ部５９（後述））と各種データの送受信を行う。
【００２５】
携帯電話機５０は、基地局（図示略）と無線通信を行い、この基地局を介して通信ネットワークＮと接続されている。携帯電話機５０は、通信ネットワークＮを介して、無線通話と、データ通信と、を行う。また、携帯電話機５０は、（ブラウザによる）ＷＥＢページ表示機能を有する。さらに、携帯電話機５０は、非接触通信方式の非接触ＩＣ部５９を有する。携帯電話機５０は、非接触ＩＣ部５９が非接触ＩＣリーダ／ライタ４０に近づけられた状態で、非接触ＩＣリーダ／ライタ４０により情報の読み出し又は書き込みが行われる。また、図１において、複数の顧客のそれぞれが所有する携帯電話機５０が１台で表されている。
【００２６】
通信ネットワークＮは、インターネットとするが、これに限定されるものではなく、ＬＡＮ（Local Area Network）、専用線等を含むこととしてもよい。
【００２７】
次いで、図２〜図４を参照して、サーバ装置１０と、ＥＣＲ２０と、携帯電話機５０と、の内部構成を説明する。図２に、サーバ装置１０の機能構成を示す。図３に、ＥＣＲ２０の機能構成を示す。図４に、携帯電話機５０の機能構成を示す。
【００２８】
図２に示すように、サーバ装置１０は、制御手段としてのＣＰＵ（Central Processing Unit）１１と、操作部１２と、ＲＡＭ（Random Access Memory）１３と、表示部１４と、記憶手段としての記憶部１５と、通信手段としての通信部１６と、を備え、各部がバス１７を介して接続されている。
【００２９】
ＣＰＵ１１は、サーバ装置１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００３０】
ＣＰＵ１１は、記憶部１５に記憶されたレシート情報ＤＢ追加プログラムに従い、ＥＣＲ２０から送信されたレシート情報、非接触通信部ＩＤとしての非接触ＩＣ部ＩＤ、及び装置ＩＤとしてのレジＩＤを受信して、取引インデックスＤＢ７０、取引詳細ＤＢ９０に追加する。
【００３１】
また、ＣＰＵ１１は、記憶部１５に記憶されたＷＥＢページ情報送信プログラムに従い、携帯電話機５０から送信されたＵＲＬ情報に応じたレシートイメージのＷＥＢページ情報を生成して、携帯電話機５０に送信する。
【００３２】
操作部１２は、カーソルキー、文字、数字入力キー及び各種機能キー等を備えたキーボードを含む構成とし、操作者による各キーの押下入力を受け付けてその操作情報をＣＰＵ１１に出力する。また、操作部１２は、マウス等のポインティングデバイスを含み、位置入力を受け付けて操作情報としてＣＰＵ１１に出力することとしてもよい。
【００３３】
ＲＡＭ１３は、揮発性のメモリである。また、ＲＡＭ１３は、実行される各種プログラムやこれら各種プログラムに係るデータ等を格納するワークエリアを有する。
【００３４】
表示部１４は、ＬＣＤ（Liquid Crystal Display）、ＥＬＤ（ElectroLuminescent Display）等で構成され、ＣＰＵ１１からの表示制御信号に従って画面表示を行う。
【００３５】
記憶部１５は、磁気記録媒体を有するＨＤＤ（Hard Disk Drive）等により構成され、各種プログラム及び各種データを記録媒体に読み出し及び書き込み可能に記憶する。記憶部１５は、売上情報登録プログラムと、ＷＥＢページ情報送信プログラムと、が記憶されている。また、記憶部１５は、後述する取引インデックスＤＢ７０と、共通アクセス鍵ＤＢ８０と、取引詳細ＤＢ９０と、が記憶されている。
【００３６】
通信部１６は、モデム、ルータ、ネットワークカード等により構成される。通信部１６は、接続される通信ネットワークＮ上のＥＣＲ２０、携帯電話機５０等の外部機器と情報を送受信する。
【００３７】
図３に示すように、ＥＣＲ２０は、制御手段としてのＣＰＵ２１と、操作部２２と、ＲＡＭ２３と、表示部２４と、記憶部２５と、第２の通信手段としての通信部２６と、ドロア２７と、印刷部２８と、Ｉ／Ｆ（インタフェース）部２９と、メモリカセット３０と、スロット部３１と、計時部３２と、第１の通信手段としての非接触ＩＣリーダ／ライタ４０と、を備え、メモリカセット３０、非接触ＩＣリーダ／ライタ４０を除く各部がバス３３を介して接続されている。
【００３８】
ＣＰＵ２１、ＲＡＭ２３、通信部２６については、それぞれ、サーバ装置１０のＣＰＵ１１、ＲＡＭ１３、通信部１６の構成と同様であり、異なる部分を主として説明する。
【００３９】
ＣＰＵ２１は、記憶部２５に記憶された売上登録プログラムに従い、顧客が購入する商品に関する情報を登録して決済し、その決済に対応するレシートの印刷、又はレシート情報に対応するＵＲＬ情報の生成及び携帯電話機５０への送信を行う。
【００４０】
操作部２２は、電源キー、カーソルキー、文字、数字入力キー及び各種機能キー等を備えたレジ用のキー操作部を含む構成とし、オペレータによる各キーの操作入力を受け付け、その操作情報をＣＰＵ２１に出力する。操作部２２のキー操作部には、例えば、部門キー、ＰＬＵ（Price Look Up）キー、精算キーを含む。
【００４１】
表示部２４は、ＬＣＤ、ＥＬＤ等で構成され、ＣＰＵ２１からの表示制御信号に従って画面表示を行う。また、操作部２２は、表示部２４と一体的にタッチパネルを構成することとしてもよい。また、操作部２２は、顧客用の表示部と、店員用の表示部とを有するものとする。
【００４２】
記憶部２５は、各種プログラム及び各種データを読み出し及び書き込み可能に記憶するフラッシュメモリ、各種プログラム及び各種データを読み出し可能に記憶するＲＯＭ(Read Only Memory)等により構成される。記憶部２５には、売上登録プログラム、レジ番号が記憶されている。レジ番号は、ＥＣＲ２０の同一店舗内の識別番号である。
【００４３】
通信部２６は、ネットワークカード等により構成され、通信ネットワークＮ上のサーバ装置１０と通信を行う。
【００４４】
ドロア２７は、硬貨や紙幣等の現金を収納する引出し部と、この引出し部の開放部とを有する。ドロア２７は、例えば、ＣＰＵ２１の指示に応じて、開放部により引出し部が開けられる。
【００４５】
印刷部２８は、サーマルプリンタ等の印刷部であり、レシート用、ジャーナル用のロール紙を有し、ＣＰＵ２１から入力される指示に従って、各ロール紙に対して金額等のデータを印刷する。
【００４６】
Ｉ／Ｆ部２９は、非接触ＩＣリーダ／ライタ４０との有線接続部であり、非接触ＩＣリーダ／ライタ４０との通信を介する。
【００４７】
メモリカセット３０は、半導体メモリを有し、スロット部３１に着脱可能なメモリカセットである。スロット部３１は、メモリカセット３０の装着部である。メモリカセット３０には、装着先のＥＣＲ２０用の情報が記憶されている。メモリカセット３０には、サーバ装置１０及びＥＣＲ２０の共通鍵である共通アクセス鍵（のデータ）と、レジＩＤとが記憶されている。レジＩＤは、ＥＣＲ２０の店舗を跨いだ識別番号である。
【００４８】
計時部３２は、計時回路（ＲＴＣ（Real Time Clock））を有し、この計時回路により現在の日時情報を計時してＣＰＵ２１に出力する。
【００４９】
なお、ＥＣＲ２０が、商品に付されたバーコードを読み取るバーコードスキャナを備える構成としたり、クレジットカードの電子決済を行う電子決済装置がＥＣＲに接続されている構成等としてもよい。
【００５０】
次いで、図４を参照して、携帯電話機５０の内部構成を説明する。携帯電話機５０は、ＣＰＵ５１と、操作部５２と、ＲＡＭ５３と、表示部５４と、ＲＯＭ５５と、通信部２６と、フラッシュメモリ５７と、通話部５８と、非接触ＩＣ部５９と、を備え、各部がバス６０を介して接続されている。
【００５１】
ＣＰＵ５１、ＲＡＭ５３については、それぞれ、サーバ装置１０のＣＰＵ１１、ＲＡＭ１３の構成と同様であり、異なる部分を主として説明する。
【００５２】
ＣＰＵ５１は、ＲＯＭ５５に記憶されたＷＥＢページ表示プログラムに従い、商品の購入時にＥＣＲ２０から受信したＵＲＬ情報に対応するレシートイメージのＷＥＢページを表示する。
【００５３】
操作部５２は、電源キー、カーソルキー、文字、数字入力キー及び各種機能キー等を備えた携帯電話用のキー操作部を含む構成とし、ユーザによる各キーの操作入力を受け付け、その操作情報をＣＰＵ５１に出力する。
【００５４】
表示部５４は、ＬＣＤ、ＥＬＤ等で構成され、ＣＰＵ５１からの表示制御信号に従って画面表示を行う。
【００５５】
ＲＯＭ５５は、各種プログラム及び各種データを読み出し可能に記憶する記憶部である。ＲＯＭ５５には、ＷＥＢページ表示プログラムが記憶されている。
【００５６】
通信部５６は、無線通信アンテナ、モデム（ＭＯＤＥＭ：MOdulator/DEModulator）、ＲＦ（Radio Frequency）部等を備える。通信部５６において、無線信号受信の際に、無線通信アンテナにより基地局（図示略）から送信される音声データ又は各種データの無線信号が受信され、ＲＦ部により増幅及び周波数変換され、その周波数変換された信号がモデムにより復調される。また、通信部５６において、無線信号送信の際に、モデムにより送信対象の音声信号又は各種データが変調され、その変調信号がＲＦ部により増幅及び周波数変換され、その変換された信号が無線通信アンテナを介して無線電波として基地局に無線送信される。基地局は、通信ネットワークＮに接続されている。このため、携帯電話機５０は、通信部５６により、基地局、通信ネットワークＮを介してサーバ装置１０と各種データの通信が可能である。
【００５７】
フラッシュメモリ５７は、各種プログラム及び各種データを読み出し及び書き込み可能に記憶する。
【００５８】
通話部５８は、マイク、スピーカ、音声処理部を備える。通話部５８において、通信部５６から入力された音声のデジタル信号が音声処理部によりアナログ音声信号に変換されてスピーカへ出力されて音声出力される。また、通話部５８において、マイクから入力されたアナログ音声信号が音声処理部によりデジタル信号に変換されて、通信部５６へ出力される。
【００５９】
非接触ＩＣ部５９は、コイルアンテナ部、制御部、メモリ部等により構成される。コイルアンテナ部は、非接触ＩＣリーダ／ライタ４０との間で磁界を介する電磁誘導により情報を送受信する。制御部は、メモリ部に記憶された情報を読み出したり、メモリ部に情報を書き込む。非接触ＩＣ部５９は、商品の代金のクレジット支払いを行うクレジット払い機能の非接触ＩＣ部とし、メモリ部に、少なくとも携帯電話機５０の非接触ＩＣ部５９のＩＤとしての非接触ＩＣ部ＩＤが記憶されている。
【００６０】
次に、図５を参照して、サーバ装置１０の記憶部１５に記憶される情報を説明する。図５（ａ）に、取引インデックスＤＢ７０の構成を示す。図５（ｂ）に、共通アクセス鍵ＤＢ８０の構成を示す。図５（ｃ）に、取引詳細ＤＢ９０の構成を示す。
【００６１】
図５（ａ）に示すように、記憶部１５に記憶される取引インデックスＤＢ７０は、非接触ＩＣ部ＩＤ７１と、日付７２と、取引番号としてのレシート番号７３と、レジ番号７４と、リンク番号７５と、レコード数７６と、レジＩＤ７７と、を有する。
【００６２】
非接触ＩＣ部ＩＤ７１は、各顧客の携帯電話機５０の非接触ＩＣ部５９のＩＤである。日付７２は、非接触ＩＣ部ＩＤ７１に対応する携帯電話機５０にＥＣＲ２０がレシート情報を送信した日付情報である。レシート番号７３は、非接触ＩＣ部ＩＤ７１に対応する携帯電話機５０に送信したレシート情報を識別する番号である。レジ番号７４は、非接触ＩＣ部ＩＤ７１に対応する携帯電話機５０にレシート情報を送信したＥＣＲ２０のレジ番号である。
【００６３】
リンク番号７５は、非接触ＩＣ部ＩＤ７１に対応する携帯電話機５０に送信したレシート情報にリンクする取引詳細ＤＢ９０の先頭のレコード番号である。レコード数７６は、非接触ＩＣ部ＩＤ７１に対応する携帯電話機５０に送信したレシート情報にリンクする取引詳細ＤＢ９０のレコード数である。レジＩＤ７７は、非接触ＩＣ部ＩＤ７１に対応する携帯電話機５０にレシート情報を送信したＥＣＲ２０のレジＩＤである。
【００６４】
図５（ｂ）に示すように、記憶部１５に記憶される共通アクセス鍵ＤＢ８０は、レジＩＤ８１と、共通アクセス鍵８２と、を有する。
【００６５】
レジＩＤ８１は、ＥＣＲ２０のレジＩＤである。共通アクセス鍵８２は、レジＩＤ８１に対応するＥＣＲ２０とサーバ装置１０との間で使用される共通アクセス鍵の内容データである。
【００６６】
図５（ｃ）に示すように、記憶部１５に記憶される取引詳細ＤＢ９０は、レコード番号９１と、詳細データ９２と、を有する。レコード番号９１は、取引詳細ＤＢ９０のレコード番号であり、リンク番号７５に対応している。詳細データ９２は、レシート情報の詳細データであり、レシートイメージ作成のためのデータである。詳細データ９２は、顧客が購入した商品の商品名、個数、金額、小計、税金、日時情報、レジ番号、レシート番号、担当者情報等を含む。
【００６７】
次に、図６〜図１１を参照して、レシート情報表示システム１の動作を説明する。図６に、ＥＣＲ２０で実行される売上登録処理の流れを示す。図７に、売上登録処理のＵＲＬ情報生成処理の流れを示す。図８に、サーバ装置１０で実行されるレシート情報ＤＢ追加処理の流れを示す。図９に、携帯電話機５０で実行されるＷＥＢページ表示処理の流れを示す。図１０に、サーバ装置１０で実行されるＷＥＢページ情報送信処理の流れを示す。図１１に、レシートイメージ画面５４１を示す。
【００６８】
先ず、図６を参照して、ＥＣＲ２０で実行される売上登録処理を説明する。売上登録処理は、顧客が購入する商品に関する情報を登録して決済し、その決済に対応するレシートの印刷、又はレシート情報に対応するＵＲＬ情報の生成及び携帯電話機５０への送信を行う処理である。
【００６９】
顧客がＥＣＲ２０の設置してあるレジカウンタに購入する商品を運んだものとする。ＥＣＲ２０において、例えば、操作部２２を介して、店員からの顧客が購入する商品の登録入力が開始されたことをトリガとして、記憶部２５から読み出されて適宜ＲＡＭ２３に展開された売上登録プログラムと、ＣＰＵ２１との協働により、売上登録処理が実行される。
【００７０】
図６に示すように、先ず、操作部２２により、店員による顧客が購入する商品の登録入力が受け付けられ、その入力された登録情報がＲＡＭ２３に格納される（ステップＳ１１）。ステップＳ１１では、商品のＰＬＵコード（に対応する商品名）、個数、金額、登録の担当者（店員）等が入力され、それらの情報を含む登録情報がＲＡＭ２３に格納される。
【００７１】
そして、操作部２２を介して店員から登録の終了（締め）が指示入力されたか否かが判別される（ステップＳ１２）。ステップＳ１２においては、締めを行う場合に、店員が顧客に締めの方法を確認し、顧客の返答に応じた締めの方法の情報の入力も行われる。締めの方法は、現金払いによる締め（通常の締め）、又は携帯電話機５０の非接触ＩＣ部５９でのクレジット払い機能の締めとする。ステップＳ１２においては、さらに、現金払いによる締めの場合に、店員が顧客にレシートに対応するＵＲＬの要求有無を確認し、顧客の返答に応じたレシートに対応するＵＲＬの要求有無の情報の入力も行われるものとする。
【００７２】
登録を終了しない場合（ステップＳ１２；ＮＯ）、ステップＳ１１に移行される。登録を終了する場合（ステップＳ１２；ＹＥＳ）、ステップＳ１２で入力された締めの方法の情報に応じて、携帯電話機５０の非接触ＩＣ部５９のクレジット払いの締めか否かが判別される（ステップＳ１３）。
【００７３】
非接触ＩＣ部５９のクレジット払いの締めである場合（ステップＳ１３；ＹＥＳ）、ステップＳ１１で入力された金額の小計、税金等の演算が行われる（ステップＳ１４）。そして、携帯電話機５０の非接触ＩＣ部５９を非接触ＩＣリーダ／ライタ４０にかざすことを要求する情報が表示部２４の顧客用の表示部に表示される（ステップＳ１５）。また、非接触ＩＣリーダ／ライタ４０のかざし部分が発光可能な構造とし、ステップＳ１５では、非接触ＩＣリーダ／ライタ４０のかざし部分が発光、点滅されることとしてもよい。また、ステップＳ１５に応じて、顧客は、携帯電話機５０の非接触ＩＣ部５９を非接触ＩＣリーダ／ライタ４０にかざす。
【００７４】
そして、携帯電話機５０の非接触ＩＣ部５９が非接触ＩＣリーダ／ライタ４０にかざされた状態で、非接触ＩＣ部５９に記憶されている非接触ＩＣ部ＩＤ、又は非接触ＩＣ部ＩＤを含む電子決済のための情報が非接触ＩＣリーダ／ライタ４０により読み出されて取得される（ステップＳ１６）。ステップＳ１６では、通常の締めを行った場合に非接触ＩＣ部ＩＤが読み出され、携帯電話機５０の非接触ＩＣ部５９での締めである場合に電子決済のための情報が読み出される。電子決済のための情報は、現在までの決済金額、回数等を含む。
【００７５】
そして、ステップＳ１２で入力された締めの方法の情報に応じて、携帯電話機５０の非接触ＩＣ部５９のクレジット払いの締めか否かが判別される（ステップＳ１７）。非接触ＩＣ部５９のクレジット払いの締めである場合（ステップＳ１７；ＹＥＳ）、ステップＳ１１の登録情報、ステップＳ１４の演算情報、ステップＳ１６で読み出された電子決済のための情報に基づいて電子決済が行われ、携帯電話機５０の非接触ＩＣ部５９が非接触ＩＣリーダ／ライタ４０にかざされた状態で、その電子決済の結果情報が非接触ＩＣリーダ／ライタ４０により非接触ＩＣ部５９に書き込まれる（ステップＳ１８）。
【００７６】
上記ステップＳ１８の説明は、支払い金額が所定金額以下の電子決済のケースであり、カード会社のサーバへのアクセスは、バッチ処理で行われる。しかし、支払い金額が所定金額より大きい電子決済のケースでは、カード会社のサーバへのリアルタイムのアクセスが必要となる。この場合に、ステップＳ１８で、例えば、ＥＣＲ２０において、クレジット機能のＩＤが携帯電話機５０から取得され、クレジット機能のＩＤと商品購入の合計金額とを含む決済データが生成されてカード会社サーバ（図示略）に送信され、カード会社サーバから決済データの認証結果を受信し、認証結果がＯＫ（クレジット支払いＯＫ）であると、電子決済が実行される。
【００７７】
ステップＳ１８の実行後、又は非接触ＩＣ部５９のクレジット払いの締めでない場合（ステップＳ１７；ＮＯ）、ステップＳ１６で取得された非接触ＩＣ部ＩＤ等を用いて、携帯電話機５０におけるレシートイメージ閲覧のためのＵＲＬ情報を生成するＵＲＬ情報生成処理が実行される（ステップＳ１９）。ステップＳ１９のＵＲＬ情報生成処理は、詳細に後述される。
【００７８】
そして、携帯電話機５０の非接触ＩＣ部５９が非接触ＩＣリーダ／ライタ４０にかざされた状態で、ステップＳ１９で生成されたＵＲＬ情報が非接触ＩＣリーダ／ライタ４０により非接触ＩＣ部５９に送信される（ステップＳ２０）。携帯電話機５０において、非接触ＩＣ部５９を介してＥＣＲ２０からＵＲＬ情報が受信され、そのＵＲＬ情報がフラッシュメモリ５７に記憶される。
【００７９】
そして、計時部３２から現在の日時情報が取得され、その日時情報、ステップＳ１１の登録情報、ステップＳ１４又はＳ２２の演算情報、ステップＳ１６で取得されたレジ番号、レシート番号等を含むレシート情報が生成され、そのレシート情報が、ステップＳ１６で取得された非接触ＩＣ部ＩＤ、ステップＳ１９で取得されたレジＩＤとともに、通信部２６、通信ネットワークＮを介してサーバ装置１０に送信され（ステップＳ２１）、売上登録処理が終了する。レシート情報は、レシートイメージを生成するための情報となる。また、ステップＳ２１において、販売した商品の個数、金額の情報は、記憶部２５のフラッシュメモリに記憶されている部門別、ＰＬＵ別等の合計器ファイルに加算される。
【００８０】
非接触ＩＣ部５９のクレジット払いの締めでない場合（ステップＳ１３；ＹＥＳ）、現金払いによる通常の締め処理が実行される（ステップＳ２２）。ステップＳ２２では、ステップＳ１４と同様に合計金額、税金等の演算がなされ、また販売した商品の個数、金額の情報が、記憶部２５のフラッシュメモリに記憶されている部門別、ＰＬＵ別等の合計器ファイルに加算される。
【００８１】
そして、ステップＳ１２で入力されたＵＲＬ情報の要求有無の情報に応じて、携帯電話機５０にＵＲＬ情報を送信するか否かが判別される（ステップＳ２３）。携帯電話機５０にＵＲＬ情報を送信する場合（ステップＳ２３；ＹＥＳ）、ステップＳ１５に移行される。携帯電話機５０にＵＲＬ情報を送信しない場合（ステップＳ２３；ＮＯ）、計時部３２から現在の日時情報が取得され、記憶部２５に記憶されているレジ番号が読み出され、新たな次のレシート番号が生成され、その日時情報、レジ番号、レシート番号、ステップＳ１１の登録情報、ステップＳ２２の演算情報からレシート情報が生成され、そのレシート情報に基づいて印刷部２８によりレシートが印刷出力され（ステップＳ２４）、売上登録処理が終了する。レシート番号は、例えば、ＥＣＲ２０で発行したレシートの通番である。また、ステップＳ２０，Ｓ２４において、レシート情報は、印刷部２８によりジャーナル印刷される。
【００８２】
図７を参照して、ステップＳ１９のＵＲＬ情報生成処理を説明する。先ず、記憶部２５からレジ番号が読み出されて取得される（ステップＳ１９１）。そして、ＥＣＲ２０の新たな次のレシート番号が生成されて取得される（ステップＳ１９２）。
【００８３】
そして、ステップＳ１６で読み出された非接触ＩＣ部ＩＤが取得される（ステップＳ１９３）。そして、ステップＳ１９１で取得されたレジ番号と、ステップＳ１９２で取得されたレシート番号と、ステップＳ１９３で取得された非接触ＩＣ部ＩＤと、が合成されて合成情報が生成される（ステップＳ１９４）。
【００８４】
そして、スロット部３１を介して、メモリカセット３０から共通アクセス鍵が読み出されて取得される（ステップＳ１９５）。そして、ステップＳ１９５で取得された共通アクセス鍵を用いて、ステップＳ１９４で生成された合成情報が暗号化され暗号化データが生成される（ステップＳ１９６）。そして、メモリカセット３０からレジＩＤが読み出され、このレジＩＤと、またステップＳ１９６で生成された暗号化データを用いて、サーバ装置１０でのスクリプト処理のためのＵＲＬ情報が生成され（ステップＳ１９７）、ＵＲＬ情報生成処理が終了する。
【００８５】
例えば、ステップＳ１９１でレジ番号として２バイトの“00000001”が得られ、ステップＳ１９２でレシート番号が３バイトの“00000123”が得られ、ステップＳ１９３で非接触ＩＣ部ＩＤとして８バイトの“0123456789ABCDEF”が得られた例を考える。そして、ステップＳ１９４で、これらの情報が合成されて合成情報“00000001000001230123456789ABCDEF”が生成される。そして、ステップＳ１７６で、合成情報が暗号化されて暗号化データ“57B45720F4750A50723EE7348C2759023”が生成される。そして、ステップＳ１９７で、レジＩＤ“0000000010”が取得され、店舗名、暗号化データに基づいて、ＵＲＬ情報“http://xxx.com/rct_srv/0000000010/DB?57B45720F4750A50723EE7348C2759023”が生成される。
【００８６】
次いで、図８を参照して、サーバ装置１０で実行されるレシート情報ＤＢ追加処理を説明する。レシート情報ＤＢ追加処理は、ＥＣＲ２０から送信されたレシート情報、非接触ＩＣ部ＩＤ及びレジＩＤを受信して、取引インデックスＤＢ７０、取引詳細ＤＢ９０に追加する処理である。
【００８７】
サーバ装置１０において、例えば、売上登録処理のステップＳ１９に対応して、通信ネットワークＮ及び通信部１６を介して、ＥＣＲ２０からレシート情報を、非接触ＩＣ部ＩＤ及びレジＩＤとともに受信開始したことをトリガとして、記憶部１５から読み出されて適宜ＲＡＭ１３に展開されたレシート情報ＤＢ追加プログラムと、ＣＰＵ１１との協働により、レシート情報ＤＢ追加処理が実行される。
【００８８】
図８に示すように、先ず、通信ネットワークＮ及び通信部１６を介して、ＥＣＲ２０からレシート情報が、非接触ＩＣ部ＩＤ及びレジＩＤとともに受信される（ステップＳ３１）。そして、ステップＳ３１で受信されたレシート情報を用いて、記憶部１５に記憶されている取引インデックスＤＢ７０に新たなレコードが追加される（ステップＳ３２）。具体的には、レジＩＤ、非接触ＩＣ部ＩＤ、レシート情報中の日時情報の日付、レシート番号、レジ番号が、それぞれ、レジＩＤ７７、非接触ＩＣ部ＩＤ７１、日付７２、レシート番号７３、レジ番号７４とされたレコードが生成される。
【００８９】
そして、ステップＳ３１で受信されたレシート情報を用いて、記憶部１５に記憶されている取引詳細ＤＢ９０にレコードが追加される（ステップＳ３２）。具体的には、レシート情報中のレシート情報の詳細データ（担当者情報、レジ番号、レシート番号、日時情報、商品名、商品の金額、個数、小計、税金等）が、詳細データ９２のレコードに追加され、追加したレコードに対応するレコード番号９１が新たに設定される。
【００９０】
そして、ステップＳ３３で追加された取引詳細ＤＢ９０のレコードのレコード番号９１及びレコード数に対応するリンク番号、レコード数が、ステップＳ３２で追加されたレコードのリンク番号７５、レコード数７６に設定される（ステップＳ３４）。
【００９１】
そして、取引インデックスＤＢ７０、取引詳細ＤＢ９０のレコード追加が成功した旨が生成され、その旨の情報が、通信部１６及び通信ネットワークＮを介して、ＥＣＲ２０に送信され（ステップＳ３５）、レシート情報ＤＢ追加処理が終了する。ステップＳ３５に対応して、ＥＣＲ２０では、レコード追加が成功した旨の情報が受信される。
【００９２】
次いで、図９を参照して、携帯電話機５０で実行されるＷＥＢページ表示処理を説明する。ＷＥＢページ表示処理は、商品の購入時にＥＣＲ２０から受信したＵＲＬ情報に対応するレシートイメージのＷＥＢページを表示する処理である。
【００９３】
携帯電話機５０において、例えば、操作部５２を介して、ユーザ（顧客）からのＷＥＢページ表示処理の実行指示が入力されたことをトリガとして、ＲＯＭ５５から読み出されて適宜ＲＡＭ５３に展開されたＷＥＢページ表示プログラムと、ＣＰＵ５１との協働により、ＷＥＢページ表示処理が実行される。
【００９４】
図９に示すように、先ず、フラッシュメモリ５７に記憶されているＵＲＬ情報が読み出されて表示部５４に表示され、操作部５２を介してユーザからの表示したいレシートに対応するＵＲＬ情報の選択入力が受け付けられる（ステップＳ４１）。そして、ステップＳ４１で選択入力されたＵＲＬ情報が、通信部５６、通信ネットワークＮを介してサーバ装置１０に送信される（ステップＳ４２）。
【００９５】
そして、通信ネットワークＮ、通信部５６を介して、サーバ装置１０から、ステップＳ４１で選択されたＵＲＬ情報に対応するＷＥＢページ情報が受信される（ステップＳ４３）。そして、ステップＳ４３で受信されたＷＥＢページ情報が表示部５４にレシートイメージ画面として表示され（ステップＳ４４）、ＷＥＢページ表示処理が終了する。ステップＳ４２〜Ｓ４４は、ブラウザとしての処理である。
【００９６】
次いで、図１０を参照して、サーバ装置１０で実行されるＷＥＢページ情報送信処理を説明する。ＷＥＢページ情報送信処理は、携帯電話機５０から送信されたＵＲＬ情報に応じたレシートイメージのＷＥＢページ情報を生成して、携帯電話機５０に送信する処理である。
【００９７】
例えば、ＷＥＢページ表示処理のステップＳ４２に対応して、通信ネットワークＮ及び通信部１６を介して、携帯電話機５０からＵＲＬ情報を受信開始したことをトリガとして、記憶部１５から読み出されて適宜ＲＡＭ１３に展開されたＷＥＢページ情報送信プログラムと、ＣＰＵ１１との協働により、ＷＥＢページ情報送信処理が実行される。
【００９８】
図１０に示すように、先ず、通信ネットワークＮ及び通信部１６を介して、携帯電話機５０からＵＲＬ情報が受信される（ステップＳ５１）。そして、ステップＳ５１で受信されたＵＲＬ情報に含まれるレジＩＤが取得される（ステップＳ５２）。そして、記憶部１５に記憶されている共通アクセス鍵ＤＢ８０が参照され、ステップＳ５２で取得されたレジＩＤに対応するレジＩＤ８１の共通アクセス鍵８２が取得される（ステップＳ５３）。
【００９９】
そして、ステップＳ５３で取得された共通アクセス鍵を用いて、ステップＳ５１で受信されたＵＲＬ情報の暗号化データ部分が復号化されて合成情報が取得され、この合成情報から、非接触ＩＣ部ＩＤ、レジ番号及びレシート番号が取得される（ステップＳ５４）。そして、記憶部１５に記憶されている取引インデックスＤＢ７０が参照され、ステップＳ５４で取得された非接触ＩＣ部ＩＤ、レシート番号及びレジ番号に対応する非接触ＩＣ部ＩＤ７１、レシート番号７３及びレジ番号７４に対応するレコードのリンク番号７５及びレコード数７６が検索されて取得される（ステップＳ５５）。
【０１００】
そして、記憶部１５に記憶されている取引詳細ＤＢ９０が参照され、ステップＳ５５で取得されたリンク番号７５及びレコード数７６に対応するレコード番号９１の詳細データ９２が取得される（ステップＳ５６）。そして、ステップＳ５６で取得された詳細データ９２から、レシートイメージのＷＥＢページ情報が生成される（ステップＳ５７）。そして、ＷＥＢページ表示処理のステップＳ４３に対応し、ステップＳ５７で生成されたＷＥＢページ情報が、通信部１６及び通信ネットワークＮを介して、携帯電話機５０へ送信され（ステップＳ５８）、ＷＥＢページ情報送信処理が終了する。
【０１０１】
例えば、ステップＳ５１でＵＲＬ情報“http://xxx.com/rct_srv/0000000010/DB?57B45720F4750A50723EE7348C2759023”が受信された例を考える。ステップＳ５２で、ＵＲＬ情報からレジＩＤ“0000000010”が取得される。そして、ステップＳ５４で、暗号化データ“57B45720F4750A50723EE7348C2759023”が共通アクセス鍵で復号化されて合成情報“00000001000001230123456789ABCDEF”が生成され、レジ番号 “00000001”、レシート番号 “00000123”及び非接触ＩＣ部ＩＤ “0123456789ABCDEF”が得られる。
【０１０２】
そして、ステップＳ５５で、レジ番号 “00000001”、レシート番号 “00000123”及び非接触ＩＣ部ＩＤ “0123456789ABCDEF”に対応するリンク番号“000888”及びレコード数 “00000008”が得られる。そして、ステップＳ５６で、レコード番号 “000888”〜“000895”の詳細データが得られる。このとき、ステップＳ５７で生成され、携帯電話機５０の表示部５４に表示されるレシート情報のＷＥＢページ画面は、図１１に示すレシートイメージ画面５４１のようになる。レシートイメージ画面５４１には、レシートイメージとともに、非接触ＩＣ部ＩＤ、レシート番号、レジＩＤが含められている。
【０１０３】
以上、本実施の形態によれば、ＥＣＲ２０が、携帯電話機５０の非接触ＩＣ部５９による電子決済又は通常の決済に応じて、レシート情報を生成するとともに、レシート情報を特定するための非接触ＩＣ部ＩＤ、レジＩＤ及びレシート番号を含むＵＲＬ情報を生成して携帯電話機５０の非接触ＩＣ部５９に送信する。また、ＥＣＲ２０は、レシート情報を、非接触ＩＣ部ＩＤ及びレジＩＤとともにサーバ装置１０に送信する。サーバ装置１０は、ＥＣＲ２０からレシート情報、非接触ＩＣ部ＩＤ及びレジＩＤを受信し、取引インデックスＤＢ７０及び取引詳細ＤＢ９０に記憶する。
【０１０４】
また、サーバ装置１０は、携帯電話機５０からＵＲＬ情報を受信すると、当該ＵＲＬ情報からレジＩＤ、非接触ＩＣ部ＩＤ、レシート番号及びレジ番号を取得し、これらの情報に対応するレシート情報を取引詳細ＤＢ９０から読み出し、このレシート情報等を用いてレシートイメージのＷＥＢページ情報を生成して携帯電話機５０に送信する。携帯電話機５０は、サーバ装置１０から、送信したＵＲＬ情報に対応するＷＥＢページ情報を受信して表示部５４にレシートイメージとして表示する。
【０１０５】
このため、顧客がユーザ登録をすることなく、顧客の決済に対応するＵＲＬ情報を携帯電話機５０に送信でき、このＵＲＬ情報に対応するレシート情報（のＷＥＢページ情報）を顧客の携帯電話機５０に提供でき、レシートイメージとして表示させることができる。顧客は、ＵＲＬ情報に対応するレシート情報のレシートイメージを閲覧できる。
【０１０６】
また、ＥＣＲ２０が、レシート情報とともに非接触ＩＣ部ＩＤをサーバ装置１０に送信し、サーバ装置１０が、取引詳細ＤＢ９０を非接触ＩＣ部ＩＤに紐付けて記憶する。このため、サーバ装置１０が、非接触ＩＣ部ＩＤをキーとして、取引詳細ＤＢ９０のレシート情報を管理することができる。例えば、サーバ装置１０は、非接触ＩＣ部ＩＤをキーとして、レシート情報を集計できる。
【０１０７】
また、ＥＣＲ２０が、非接触ＩＣ部ＩＤ、レジ番号及びレシート番号を共通アクセス鍵で暗号化し、その暗号化情報を含むＵＲＬ情報を生成して携帯電話機５０に送信する（書き込む）。サーバ装置１０は、携帯電話機５０から受信したＵＲＬ情報の暗号化データ部分を共通アクセス鍵で復号化して、非接触ＩＣ部ＩＤ、レジ番号及びレシート番号を得る。このため、非接触ＩＣ部ＩＤ、レジ番号及びレシート番号が第三者に知られることを防ぐことができる。
【０１０８】
なお、上記実施の形態における記述は、本発明に係る売上データ処理装置、サーバ装置及びプログラムの一例であり、これに限定されるものではない。
【０１０９】
例えば、上記実施の形態では、携帯電話機５０でレシートイメージのＷＥＢページを表示する構成としたが、これに限定されるものではない。例えば、携帯電話機５０からＵＲＬ情報をＰＣ等のブラウザ機能を有する外部機器に送信し、その情報処理装置において、ＵＲＬ情報をサーバ装置１０に送信してレシートイメージのＷＥＢページを表示する構成としてもよい。
【０１１０】
また、ＥＣＲ２０からＵＲＬ情報を受信する携帯端末としては、携帯電話機５０に限定されるものではなく、例えば、非接触ＩＣ部を有するＰＤＡ（Personal Digital Assistant）等、他の携帯端末としてもよい。また、ＥＣＲ２０から携帯端末へのＵＲＬ情報の送信方式は、非接触ＩＣの電磁誘導方式に限定されるものではなく、無線通信方式、赤外線通信方式等、他の通信方式としてもよい。
【０１１１】
また、上記実施の形態では、携帯電話機５０の非接触ＩＣ部５９が、クレジット払い機能を有し、クレジット払いによる電子決済を行う構成としたが、これに限定されるものではない。例えば、携帯電話機５０の非接触ＩＣ部５９が、残高情報を記憶する前払い式の電子マネー機能や、デビット機能を有し、それらの機能による電子決済を行う構成としてもよい。
【０１１２】
また、上記実施の形態では、ＵＲＬ情報のうち、レジ番号、レシート番号及び非接触ＩＣ部ＩＤを暗号化する構成としたが、これに限定されるものではない。例えば、ＵＲＬ情報のうち、少なくともレシート番号及び非接触ＩＣ部ＩＤを暗号化する構成としてもよい。
【０１１３】
また、上記実施の形態では、ＵＲＬ情報に、レジＩＤ、レジ番号、レシート番号及び非接触ＩＣ部ＩＤを含む構成としたが、これに限定されるものではない。例えば、ＵＲＬ情報に、少なくともレジＩＤ及びレシート番号を含める構成としてもよい。
【０１１４】
以上の説明では、本発明に係るプログラムのコンピュータ読み取り可能な媒体として記憶部１５、記憶部２５及びＲＯＭ５５を使用した例を開示したが、この例に限定されない。
その他のコンピュータ読み取り可能な媒体として、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【０１１５】
また、上記実施の形態におけるレシート情報表示システム１の各構成要素の細部構成及び細部動作に関しては、本発明の趣旨を逸脱することのない範囲で適宜変更可能であることは勿論である。
【図面の簡単な説明】
【０１１６】
【図１】本発明に係る実施の形態のレシート情報表示システムの構成を示すブロック図である。
【図２】サーバ装置の機能構成を示すブロック図である。
【図３】ＥＣＲの機能構成を示すブロック図である。
【図４】携帯電話機の機能構成を示すブロック図である。
【図５】（ａ）は、取引インデックスＤＢの構成を示す図である。（ｂ）は、共通アクセス鍵ＤＢの構成を示す図である。（ｃ）は、取引詳細ＤＢの構成を示す図である。
【図６】ＥＣＲで実行される売上登録処理を示すフローチャートである。
【図７】売上登録処理のＵＲＬ情報生成処理を示すフローチャートである。
【図８】サーバ装置で実行されるレシート情報ＤＢ追加処理を示すフローチャートである。
【図９】携帯電話機で実行されるＷＥＢページ表示処理を示すフローチャートである。
【図１０】サーバ装置で実行されるＷＥＢページ情報送信処理を示すフローチャートである。
【図１１】レシートイメージ画面を示す図である。
【符号の説明】
【０１１７】
１  レシート情報表示システム
１０  サーバ装置
１１  ＣＰＵ
１２  操作部
１３  ＲＡＭ
１４  表示部
１５  記憶部
１６  通信部
１７  バス
２０  ＥＣＲ
２１  ＣＰＵ
２２  操作部
２３  ＲＡＭ
２４  表示部
２５  記憶部
２６  通信部
２７  ドロア
２８  印刷部
２９  Ｉ／Ｆ部
３０  メモリカセット
３１  スロット部
３２  計時部
３３  バス
４０  非接触ＩＣリーダ／ライタ
５０  携帯電話機
５１  ＣＰＵ
５２  操作部
５３  ＲＡＭ
５４  表示部
５５  ＲＯＭ
５６  通信部
５７  フラッシュメモリ
５８  通話部
５９  非接触ＩＣ部
６０  バス
【図１】
2010157057.tif 000003
【図２】
2010157057.tif 000004
【図３】
2010157057.tif 000005
【図４】
2010157057.tif 000006
【図５】
2010157057.tif 000007
【図６】
2010157057.tif 000008
【図７】
2010157057.tif 000009
【図８】
2010157057.tif 000010
【図９】
2010157057.tif 000011
【図１０】
2010157057.tif 000012
【図１１】
2010157057.tif 000013